(57)【要約】【課題】  布量を自動判定し洗濯水位を決定する洗濯機おいて、布量に応じて決定した洗濯水位に対して、使用者が適切な範囲で好みの水位補正を可能にしつつ、十分な洗浄性能の確保を可能にする洗濯システムを提供すること。【解決手段】  洗濯乾燥装置と、洗濯乾燥装置を遠隔操作する情報端末装置３７と、洗濯乾燥装置と情報端末装置は両者間でデータを送受信するデータ通信手段２７ａ、２７ｂを、洗濯乾燥装置は布量に応じた洗濯水位を決定する水位決定手段を、情報端末装置は水位決定手段にて決定した水位を補正する水位補正設定手段３３を備え、情報端末装置は、水位決定手段にて決定した水位より高い水位のみ補正可能にすることにより、布からみによる布傷みを抑えつつ洗浄性能を確保することが可能となる。【選択図】  図２
2005066158.tif 000002
【特許請求の範囲】
【請求項１】
洗濯の制御を行う洗濯装置と、前記洗濯装置を遠隔操作する情報端末装置とを備えた洗濯システムであり、前記洗濯装置は、布量に応じて洗濯水位を決定する水位決定手段と、前記水位決定手段や運転コースの内容などのデータを送信または受信するデータ通信手段とを備え、前記情報端末装置は、前記水位決定手段や運転コースの内容などのデータを送信または受信するデータ通信手段と、前記水位決定手段にて決定した水位を補正する水位補正設定手段とを備えて、前記水位決定手段にて決定した水位より高い水位のみ補正可能とした洗濯システム。
【請求項２】
情報端末装置は水流の強さを設定する水流設定手段を備えて、前記水流設定手段により弱い水流を設定した場合、水位決定手段にて決定した水位より低い水位へ補正可能とした請求項１記載の洗濯システム。
【請求項３】
情報端末装置は水位決定手段にて決定した水位より低い水位への補正を許可するか否かを設定する補正可否設定手段を備えて、前記補正可否設定手段により補正の許可を設定した場合、水位決定手段にて決定した水位より低い水位へ補正可能とした請求項１記載の洗濯システム。
【請求項４】
情報端末装置は洗濯装置の運転状態などを表示する表示手段を備えて、補正可否設定手段により補正の許可を設定した場合、水位決定手段にて決定した水位より低い水位への補正が可能である旨を前記表示手段に表示する請求項３記載の洗濯システム。
【請求項５】
情報端末装置は、水位補正設定手段により高めの水位へ補正する設定を行い、かつ、水位決定手段により決定した水位が所定の水位を超える場合、水位の補正をしない請求項１記載の洗濯システム。
【請求項６】
請求項１〜５のいずれか記載の洗濯システムにて少なくとも一つの機能をコンピュータに実行させるためのプログラム。
【発明の詳細な説明】
【技術分野】
【０００１】
本発明は、情報端末装置にて使用者が設定した好みの運転コース内容を、情報端末装置にネットワーク接続された洗濯装置に対して転送し実行するシステムに関するものである。
【背景技術】
【０００２】
近年、通信回線を利用して（予めサービス契約をした企業の）センターサーバとの間で、宅内機器の状態データをセンターサーバに送信し、センターサーバから宅内機器の拡張機能用データをダウンロードし、一方、宅内機器との間で、宅内機器から機器状態データを受信して閲覧し、宅内機器へ運転コースなどの機器制御データを送信して機器の運転コース内容を自由に設定したり、機器の電源入り切りなど機器制御を行う情報端末装置が普及し始めている（例えば特許文献１参照）。
【０００３】
さらに、最近では、情報端末装置と（本特許文献の宅内機器である）洗濯乾燥装置からなる洗濯乾燥システムにおいて、使用者が通信回線（インターネットなど）を利用して（洗濯乾燥装置の製造元である）企業のセンターサーバから好みの運転コースを情報端末装置に「ダウンロード」し、ダウンロードした運転コースを洗濯乾燥装置に「転送」して実行する構成も提案されており（例えば特許文献２参照）、以下、その構成について説明する。なお、本発明は洗濯機と洗濯システムに関するものであるが、ここではそれに衣類乾燥機能を備えた洗濯乾燥機と洗濯乾燥システムで説明する。
【０００４】
図１３は従来この種の洗濯乾燥システムのシステムブロック図であり、１は洗濯乾燥装置、２は情報端末装置である。これら洗濯乾燥装置１と情報端末装置２との間は、後述する無線による通信手段によって通信が行われる。
【０００５】
図１４は洗濯乾燥装置１の縦断面図である。図に示すように、筐体３は、内部に、複数のサスペンション４によって外槽５を弾性的に吊支し、運転時の振動をサスペンション４によって吸収する構成としている。外槽６の内部には、回転中心軸を鉛直方向に有し洗濯物および乾燥対象物（以下、衣類という）を収容する内槽６を回転自在に支持し、内槽６の内底部に衣類を攪拌する回転翼７を回転自在に設けている。回転翼７は、外周が傾斜面形状の鍋型に形成している。
【０００６】
内槽６の内部周壁には多数の小孔（図示せず）を設け、その上方には流体バランサ８を設けている。そして、外槽５および内槽６の底部中心付近には、中空で二軸構造をしている洗濯・脱水軸９と、洗濯または脱水時により回転力の伝達を洗濯・脱水軸９に切り換えるクラッチ１０を設けている。モータ（駆動手段）１１は、外槽５に設け、クラッチ１０を介して内槽６または回転翼７を駆動するようにしている。
【０００７】
外槽５の下部から、伸縮自在の下部蛇腹状ホース１２を介して循環ダクト１３へと通路を構成し、循環ダクト１３の出口は乾燥用送風機（送風手段）１４の入口に連結している。乾燥用送風機１４の出口は通路１３ａに連結し、この通路１３ａ内に加熱手段であるヒータ１５を設け、通路１３ａに伸縮自在の上部蛇腹状ホース１６を連結している。上部蛇腹ホース１６は、内槽６へ向けて開口しており、内槽６は、内部周壁の小孔を通して外槽５に通じているので、これら通路は循環する経路を構成している。
【０００８】
内槽６の上部には開閉自在の内蓋１７を設けており、開閉検知手段１８は内蓋１７の開閉状態を常に把握している。また、内蓋１７の近傍には、伸縮自在の上部蛇腹状ホース１６からつづく温風噴出孔１９を開けている。冷却用送風機（冷却送風手段）２０は、筐体３の側面に取り付け、筐体３の内部に外気を導入できるように構成している。排水弁２１は外槽５内の水を排水するものであり、切換弁２２は循環路を切り換えるものである。
【０００９】
給水弁２３は内槽６内に給水するものであり、水位検知手段２４は外槽５内の水位を検知するものである。
【００１０】
洗濯乾燥制御手段２５は、マイクロコンピュータなどで構成し、水位検知手段２４、開閉検知手段１８の出力を入力し、操作手段２６により設定された設定内容に基づき、クラッチ１０、モータ１１、乾燥用送風機１４、ヒータ１５、冷却用送風機２０、排水弁２１、切換弁２２、給水弁２３などの動作を制御して洗濯および乾燥行程を制御する。
【００１１】
図１５は洗濯乾燥装置１の内部ブロック図であり、２７ａはデータ通信手段で洗濯乾燥制御手段２５が把握している洗濯機乾燥装置１の運転状態および機器制御に関するデータを情報端末装置２との間で無線にて送受信するものであり、２８は洗濯乾燥制御手段２５がモータ１１を駆動するなどして判定した衣類の重量（以下、布量と言う）に応じて洗濯の際に内槽６に給水する水量（以下、給水量という）、および、給水量から求めた洗濯水位を決定するものである。なお、洗濯乾燥制御手段２５は、クラッチ１０、モータ１１、乾燥用送風機１４、ヒータ１５、冷却用送風機２０、排水弁２１、切換弁２２、給水弁２３などの外部負荷を制御するが図への表記を省略する。
【００１２】
図１６は情報端末装置２の内部ブロック図、図１７は情報端末装置２の正面図、図１８は後述する表示手段（液晶画面）に表示する画面内容の一例であり、２９はカラー画像も表示可能な液晶画面（表示手段）、３０は表示手段２９の画面上に設けた透明フィルム状のタッチパネル（入力設定手段）であり、図１８に示すように、例えば表示手段２９にて表示した表示内容２９ａにて、使用者が「スタートボタン（画像）」２９ｂを押下した場合、画面上に設けられたタッチパネル（入力設定手段）３０は（あたかも）ボタンを押下したかように出力を行う。３１はスピーカ（音声出力手段）であり確認音や警告音などのブザー音を吹鳴するものである。３２は通信回線接続手段であり通信回線（インターネットなど）を介して（洗濯乾燥装置の製造元である）企業のセンターサーバなどに常時接続している。
【００１３】
３３は洗濯乾燥装置１の水位決定手段２８が決定した洗濯水位を使用者の好みによって水位を高めに、あるいは、水位を低めに補正するものである。３４は情報端末装置２の制御手段であり通信回路接続手段３２からの運転コースデータなどを入力し、入力設定手段３０からの出力を入力し、洗濯乾燥装置１の制御データをデータ通信手段２７ｂへ出力することにより洗濯乾燥装置１へ運転コースデータを転送する。また、データ通信手段２７ｂにて洗濯乾燥装置１から（アンテナ部２７ｃを経由して）受け取った洗濯乾燥装置１の運転状態を表示手段２９にて表示し、音声出力手段３１にてブザー音を吹鳴させる。
【００１４】
上記構成において動作を説明する。
【００１５】
まず、洗い行程、すすぎ行程、脱水行程の３つの行程からなる洗濯行程と乾燥行程について、図１４を参照しながら説明する。内槽６に衣類３５を投入して操作部２６にて運転を開始すると、洗い行程では、（給水をする前に）制御装置２５によりモータ１１を短時間（例えば、１秒間）通電をして回転翼７を動作させた後に回転翼７が惰性回転から停止に至るまでの時間を計測して布量を判定する（つまり、布があまり入っていない場合には回転翼７の惰性回転時間は長く、一方、布が多く入っている場合には惰性回転の時間は短い）。その後、水位決定手段２８にて布量に応じて給水量および洗濯水位を決定する（洗濯水位は節水の観点から必要最低限の水位が設定されることは言うまでもない）。洗濯水位を決定した後、給水弁２３を駆動し、水位検知手段２４により検知した水位が上記で決定した洗濯水位になるまで給水し、モータ１１を駆動して回転翼７を動作させ衣類３５を洗浄する。このとき、排水弁２１と切換弁２２は閉じている。
【００１６】
その後、排水弁２１を開いて排水し、再度給水し洗い行程と同様にして衣類を濯ぐすすぎ行程を経て、脱水行程では、衣類３５が入った内槽６を高速で回転させることによって生じる遠心力により、衣類３５が内槽６の内壁に押しつけられることになり、この遠心力で水分が衣類３５から分離されて脱水される。
【００１７】
洗濯行程を終え衣類３５を乾燥する乾燥行程では、切換弁２２を開いた状態で、乾燥用送風機１４の送風とヒータ１５の発熱により、上部蛇腹状ホース１６、温風噴出孔１９を通して内槽６へ乾いた温風が送り込まれる。
【００１８】
このとき、衣類３５、回転翼７の左右回転により跳ね上げられたり、その後落下したりしている状態であり、内槽６へ送り込まれた温風は、これら衣類の動きの隙間を通るときに衣類から水分を奪い、湿った状態で、内槽６から外槽５の内側へと出た後、下部蛇腹状ホース１２を通過し、切換弁２２を通過して循環ダクト１３へ至る。この流れを、図では矢線で示している。
【００１９】
湿気を含んだ温風が、外槽５の内壁や循環ダクト１３内を通過しているとき、冷却用送風機２０による外部空気の流入で、外槽５や循環ダクト１３の外壁は冷却されることになり、湿った空気の水分はその内壁に結露し、湿った温風は除湿されて、乾燥用送風機１４へと戻る。外槽５の内壁に結露した水分は、切換弁２２を通過して、循環ダクト１３の内壁に結露した水分とともに排水口３６より適宜排出される。
【００２０】
次に、使用者が運転コースの内容を使用者の好みに応じて変更し洗濯乾燥装置１に転送する一連の流れを図１９から図２１を参照しながら説明する（なお、図２１は制御手段３４の要部動作を示すフローチャートである）。
【００２１】
図１９は、使用者が洗濯乾燥装置１の運転コースの内容を好みの設定に変更する画面の一例である。図に示すように、洗濯時の水位や、水流の強弱、洗い時間、すすぎ回数、脱水時間、乾燥内容を個別に変更可能であり、例えば、水位の設定を変更する場合、水位設定内容変更ボタン２９ｄを押下することにより図２０に示すように水位設定の変更画面２９ｆが表示され、上記した布量判定により求めた布量に応じた洗濯水位に対して、さらに（ボタン２９ｇ、２９ｈを押下することにより各々）水位を高めに、あるいは、水位を低めに設定するわけである（この段階では、水位補正設定手段３３の補正度合い（以下、補正度という）を「自動高め」または「自動低め」に設定するだけであり、実際には、運転コースを開始直後に行う布量判定の際に、この補正度は反映されて洗濯水位を決定するのである）。
【００２２】
ここで給水における水位と水量について若干補足するが、この種の洗濯乾燥装置は、上記したように運転開始後に布量を自動判定して布量に応じた給水量を決定するが、従来から洗濯乾燥装置１の操作部２６には「何リットル」給水すると言うような「水量表示」を行うよりも、直感的にわかりやすいように「高水位」「中水位」「低水位」などのように「水位表示」を行い、水量の調整を行う場合でも水位ボタンを設けて「水位を高くする・水位を上げる」など水位の調整として使用者に示してきた。しかしながら、ここ数年では、コンパクト洗剤に代表されるように粉末洗剤の凝縮性が高まり、洗剤の溶け残りを防ぐ意味からも、給水量に応じた洗剤量を内槽６へ投入すべく、上記した水位表示に併記するかたちで「何リットル」など給水量を表示する、あるいは、給水量のみをデジタル表示して水量ボタンにて切り替えるタイプも増えてきており、給水量を表現する手段として水位表示と水量表示が混在しているのが実態である。
【００２３】
次に、布量の自動判定から給水の水量を決定するまでの流れを図２１のフローチャートを用いて説明すると、使用者が洗濯乾燥装置１の操作部２６から運転コースを開始すると、Ｓ１にて洗濯乾燥装置１側で布量判定処理が行われ決定した布量判定の結果はデータ通信手段２７ａおよび２７ｂを介して情報端末装置２の制御手段３４に送信され、Ｓ２ａ〜Ｓ２ｂおよびＳ３ａ〜Ｓ３ｃにて制御手段３４は布量に応じた給水量を決定し、Ｓ４にて（図２０の２９ｆに示したように）あらかじめ水位補正設定手段に設定した補正度を呼び出し、Ｓ５にて補正度が高めに設定している場合には、Ｓ６にてＳ３ａ〜Ｓ３ｃにて決定した給水量にさらに少量の水量（図２１の例では５リットル）を加え、一方、Ｓ７にて補正度が低めに設定している場合には、Ｓ８にてＳ３ａ〜Ｓ３ｃにて決定した給水量から少量の水量（図２１の例では５リットル）を差し引き最終的な給水量を決定する（この例では、最大洗濯容量８ｋｇの全自動洗濯乾燥機において、わかりやすいように、布量に応じて３段階の水量ランクを決定する処理をあげた）。
【特許文献１】特開２００２−１８６０５７号公報
【特許文献２】特開２００３−４７０７４号公報
【発明の開示】
【発明が解決しようとする課題】
【００２４】
しかしながら、前記従来の構成では、布量判定の結果に応じて決定した洗濯水量（図２１のフローチャートにおけるＳ３ａ〜Ｓ３ｃ）は節水の観点から必要最低限の水量であるにも関わらず、使用者は水位補正設定手段３３にて更に少ない水量を設定可能としているため、（端的に言えば少ない水量にて多くの衣類を洗うわけだから）給水後に撹拌翼７を動作させても洗濯水中の衣類は循環しないため、洗浄性能が著しく低下するばかりか、衣類が絡み合うなどして布傷みが発生すると言う課題を有していた。
【００２５】
本発明は、前記従来の課題を解決するもので、布量判定の結果に応じて決定した洗濯水位（あるいは給水量）に対して適切な範囲で使用者の好みの水位補正を可能にしつつ、十分な洗浄性能の確保を可能にする洗濯システムを提供することを目的とする。
【課題を解決するための手段】
【００２６】
前記従来の課題を解決するために、本発明の洗濯システムは、使用者が水位補正設定手段により水位補正を設定する場合、水位を高め方向のみ補正可能としたものである。
【００２７】
これによって、布量判定の結果に応じて決定した洗濯水位（あるいは給水量）に対して、更に少ない水量で洗濯するケースがなくなり、洗濯水中の衣類を十分に循環させて洗浄性能を確保することができる。
【発明の効果】
【００２８】
本発明の洗濯システムは、使用者が水位補正設定手段により水位補正を設定する場合、水位を高め方向のみ補正可能としたため、布量判定の結果に応じて決定した洗濯水位（あるいは給水量）に対して、更に少ない水量で洗濯するケースがなくなり、つまり、洗濯水中の衣類を十分に循環させることができるので、布傷みを抑えながら洗浄性能を確保することができる。
【発明を実施するための最良の形態】
【００２９】
第１の発明は、洗濯の制御を行う洗濯装置と、前記洗濯装置を遠隔操作する情報端末装置とを備えた洗濯システムであり、前記洗濯装置は、布量に応じて洗濯水位を決定する水位決定手段と、前記水位決定手段や運転コースの内容などのデータを送信または受信するデータ通信手段とを備え、前記情報端末装置は、前記水位決定手段や運転コースの内容などのデータを送信または受信するデータ通信手段と、前記水位決定手段にて決定した水位を補正する水位補正設定手段とを備えて、前記水位決定手段にて決定した水位より高い水位のみ補正可能としているため、布量判定の結果に応じて決定した洗濯水位（あるいは給水量）に対して、更に少ない水量で洗濯するケースがなくなり、つまり、洗濯水中の衣類を十分に循環させることができるので、布傷みを抑えながら洗浄性能を確保することができる。
【００３０】
第２の発明は、特に、第１の発明の洗濯システムにて、情報端末装置は水流の強さを設定する水流設定手段を備え、情報端末装置は、前記水流設定手段により弱い水流を設定した場合、水位決定手段にて決定した水位より低い水位へ補正可能にすることにより、弱水流にて洗濯する場合、水位補正設定手段により水位を低めに設定可能にしつつ、布量判定の結果に応じて決定した洗濯水位（あるいは給水量）より少ない水量にて洗濯しても（弱水流なので）布傷みを抑えて洗浄性能を確保することができる。
【００３１】
第３の発明は、特に、第１の発明の洗濯システムにて、情報端末装置は水位決定手段にて決定した水位より低い水位への補正を許可するか否かを設定する補正可否設定手段を備え、情報端末装置は、前記補正可否設定手段により補正の許可を設定した場合、水位決定手段にて決定した水位より低い水位への補正を可能とすることにより、たとえば初めからジーンズのように布傷みに強い衣類を洗うことがわかっている場合、補正可否設定手段の設定を行うことによって、水位補正設定手段により水位を低めに設定可能にしつつ、布量判定の結果に応じて決定した洗濯水位（あるいは給水量）より少ない水量にて洗濯しても布傷みも抑えて洗浄性能を確保することができる。
【００３２】
第４の発明は、特に、第３の発明の洗濯システムにて、情報端末装置は洗濯装置の運転状態などを表示する表示手段を備え、情報端末装置は、前記補正可否設定手段により補正の許可を設定した場合、水位決定手段にて決定した水位より低い水位への補正が可能である旨を前記表示手段に表示することにより、補正可否設定手段の設定を行い水位補正設定手段により水位を低めに設定したことを使用者に知らせることにより、水位補正設定手段により水位を低めに設定したことを忘れ、誤って少ない水量にて洗濯することを防止できる。
【００３３】
第５の発明は、特に、第１の発明の洗濯システムにて、情報端末装置は、前記水位補正設定手段により高めの水位へ補正する設定を行い、かつ、水位決定手段により決定した水位が所定の水位を超える場合、水位の補正をしないことにより、水位決定手段にて決定した水位が内槽の上限に近い水位であった場合においても、さらに高い水位まで給水することがなく溢水を防止できる。
【００３４】
第６の発明は、特に、第１〜５のいずれか１つの発明の洗濯システムの機能の少なくとも一つをコンピュータに実現させるためのプログラムである。この構成によれば、洗濯システムは、水位補正設定手段により水位補正を設定する場合に水位を高め方向のみ設定可能にさせ、布量判定の結果に応じて決定した洗濯水位（あるいは給水量）に対して、より少ない水量で洗濯するケースを廃することで、必要最低限の洗濯水量を確保し、布傷みを抑えながら洗浄性能を確保することができる。また、プログラムであるのでマイコンなどを用いて本発明の洗濯システムの一部あるいは全てを容易に実現することができる。また記録媒体に記録したり通信回線を用いてプログラムを配信したりすることでプログラムの配布が簡単にできる。
【００３５】
以下、本発明の実施の形態について、図面を参照しながら説明する。なお、この実施の形態によって本発明が限定されるものではない。なお、前記背景技術と同じ構成のものは同一符号を付して説明を省略する。
【００３６】
なお、実施の形態では洗濯装置に乾燥機能を備えた洗濯乾燥装置とそのシステム（洗濯乾燥システム）について説明するが、本発明は洗濯の水位に関するものなので洗濯装置とそのシステム（洗濯システム）であればよい。
【００３７】
（実施の形態１）
図１は本発明の第１の実施の形態における洗濯乾燥システムのシステムブロック図、図２は情報端末装置の内部ブロック図、図３は情報端末装置の表示手段に表示する一例である水位補正設定画面、図４は情報端末装置における制御手段の要部動作を示すフローチャートである。図１および図２において、情報端末装置３７、制御手段３８と表記している以外は従来の構成と同じ構成である。
【００３８】
以上のように構成された洗濯乾燥システムについて、以下その動作、作用を説明する。
【００３９】
使用者が（従来例と同様に）洗濯乾燥装置１の運転コースの内容の中で、布量判定により求めた布量に応じた洗濯水位に対して補正を行う場合、図３に示すように水位補正設定画面２９ｊにて水位補正設定手段３３の補正度を設定するが、この画面には、従来例のそれとは異なり、水位補正は高め方向のみ設定可能としている。
【００４０】
水位補正の設定後、洗濯乾燥装置１の操作部２６から運転コースを開始すると、情報端末装置３７の制御手段３８は、図４のフローチャートに示すように、Ｓ１にて洗濯乾燥装置１側で布量判定処理が行われ決定した布量判定の結果はデータ通信手段２７ａおよび２７ｂを介して情報端末装置２の制御手段３４に送信され、Ｓ２ａ〜Ｓ２ｂおよびＳ３ａ〜Ｓ３ｃにて制御手段３４は布量に応じた給水量を決定し、Ｓ４にて（図２０の２９ｆに示したように）あらかじめ水位補正設定手段に設定した補正度を呼び出し、Ｓ５にて補正度が高めに設定している場合には、Ｓ６にてＳ３ａ〜Ｓ３ｃにて決定した給水量にさらに少量の水量（この例では５リットル）を加えて最終的な給水量を決定する。
【００４１】
以上のように、本実施例では、使用者が水位補正設定手段により水位補正を設定する場合、水位を高め方向にのみ補正可能としているため、布量判定の結果に応じて決定した洗濯水位（あるいは給水量）に対して、更に少ない水量で洗濯するケースがなくなり、つまり、洗濯水中の衣類を十分に循環させることができるので、布傷みを抑えながら洗浄性能を確保することができる。
【００４２】
なお、本実施の形態では、通信媒体として無線を用いているが、専用線による有線通信、電灯線搬送通信、赤外線通信、光ファイバ通信など、いずれの通信媒体を用いても同様の効果を有するものである。
【００４３】
（実施の形態２）
図５は本発明の第２の実施の形態における情報端末装置の内部ブロック図、図６は情報端末装置の表示手段に表示する一例である水流設定画面、図７は制御手段３８の要部動作を示すフローチャートである。図５の内部ブロック図の水流設定手段３９は水流の強さを設定するものであり、その他は、実施の形態１と同じ構成である。
【００４４】
以上のように構成された洗濯乾燥システムについて、以下その動作、作用を説明する。
【００４５】
使用者が洗濯乾燥装置１の運転コースの内容の中で水流の強さを変更する場合、図１９の水流設定内容変更ボタンを押下すると図６に示す水流設定の変更画面２９ｋが表示され、弱めの水流を設定するのであれば「弱め水流」設定ボタン２９Ｌを押して（同画面の決定ボタンを押すことにより）水流設定手段３９に水流の強さ設定を保存する。
【００４６】
水位補正および水流の強弱を設定後、洗濯乾燥装置１の操作部２６から運転コースを開始すると、情報端末装置３７の制御手段３８は、図５のフローチャートに示すように、Ｓ１〜Ｓ６までの説明は省略するが、Ｓ９にて水流設定手段３９より（上記操作によりあらかじめ保存した）水流の強さを呼び出し、Ｓ１０にて水流の強さが「弱め水流」の場合のみ、Ｓ７にて補正度が低めに設定している場合には、Ｓ８にてＳ３ａ〜Ｓ３ｃにて決定した給水量から少量の水量（この例では５リットル）を差し引き最終的な給水量を決定する。
【００４７】
以上のように、本実施の形態では、弱水流にて洗濯する場合、水位補正設定手段により水位を低めに設定可能にしつつ、布量判定の結果に応じて決定した洗濯水位（あるいは給水量）より少ない水量にて洗濯しても（弱水流なので）布傷みを抑えて洗浄性能を確保することができる。
【００４８】
（実施の形態３）
図８は本発明の第３の実施の形態における情報端末装置の内部ブロック図、図９は制御手段３８の要部動作を示すフローチャートである。図８の内部ブロック図の補正可否設定手段４０は水位決定手段にて決定した水位より低い方向への水位補正を許可するか否かを設定するものであり、運転コースの開始前に補正をするか否かを設定しておく。その他は、実施の形態１と同じ構成である。
【００４９】
以上のように構成された洗濯乾燥システムについて、以下その動作、作用を説明する。
【００５０】
使用者が上記の水位補正および補正可否を設定後、洗濯乾燥装置１の操作部２６から運転コースを開始すると、情報端末装置３７の制御手段３８は、図９のフローチャートに示すように、Ｓ１〜Ｓ６までの説明は省略するが、Ｓ１１にて補正可否設定手段４０の設定値を呼び出し、Ｓ１２にて補正可否の設定が「補正を許可する」である場合で、かつ、Ｓ７にて補正度が低めに設定している場合には、Ｓ８にてＳ３ａ〜Ｓ３ｃにて決定した給水量から少量の水量（この例では５リットル）を差し引き最終的な給水量を決定する。
【００５１】
以上のように、本実施の形態では、初めからジーンズのように布傷みに強い衣類を洗うことがわかっている場合、補正可否設定手段の設定を行うことによって、水位補正設定手段により水位を低めに設定可能にしつつ、布量判定の結果に応じて決定した洗濯水位（あるいは給水量）より少ない水量にて洗濯しても布傷みも抑えて洗浄性能を確保することができる。
【００５２】
（実施の形態４）
図１０は本発明の第４の実施の形態における制御手段３８の要部動作を示すフローチャート、図１１は情報端末装置の表示手段に表示する一例である報知画面であり、情報端末装置３７の内部ブロックは実施の形態３と同じ構成である。
【００５３】
以上のように構成された洗濯乾燥システムについて、以下その動作、作用を説明する。
【００５４】
使用者が（実施の形態３と同様に）上記の水位補正および補正可否を設定後、洗濯乾燥装置１の操作部２６から運転コースを開始すると、情報端末装置３７の制御手段３８は、図１０のフローチャートに示すように、Ｓ１〜Ｓ６までの説明は省略するが、Ｓ１１にて補正可否設定手段４０の設定値を呼び出し、Ｓ１２にて補正可否の設定が「補正を許可する」である場合に、Ｓ１３にて図１１に示すように表示手段２９に報知画面２９ｍを表示する。
【００５５】
以上のように、本実施の形態では、補正可否設定手段の設定を行い水位補正設定手段により水位を低めに設定したことを使用者に知らせることにより、水位補正設定手段により水位を低めに設定したことを忘れ、誤って少ない水量にて洗濯することを防止できる。
【００５６】
（実施の形態５）
図１２は本発明の第５の実施の形態における制御手段３８の要部動作を示すフローチャートであり、情報端末装置３７の内部ブロックは実施の形態１と同じ構成である。
【００５７】
以上のように構成された洗濯乾燥システムについて、以下その動作、作用を説明する。
【００５８】
使用者が（実施の形態１と同様に）洗濯乾燥装置１の運転コースの内容の中で、布量判定により求めた布量に応じた洗濯水位に対して高め方向の水位を設定した後、洗濯乾燥装置１の操作部２６から運転コースを開始すると、情報端末装置３７の制御手段３８は、図１２のフローチャートに示すように、Ｓ１〜Ｓ４までの説明は省略するが、Ｓ１４にて布量が所定の値（この例では、布量が７ｋｇ）を超える場合、一義的に高め方向の水位補正を行わない。
【００５９】
具体的には、最大洗濯容量８ｋｇの全自動洗濯乾燥機において、布量が７ｋｇを超える衣類を布量判定すると、Ｓ２ａ、Ｓ３ａにて水量は６７Ｌに決定され、この水量を実際に内槽６へ給水すると、（図１４に示すように）流体バランサ８部分にかかる高い水位となり、さらに水位補正により５Ｌも給水した場合、内蓋１７が開いている場合には機外に水が溢れ出す恐れもあるため、布量に応じて水位補正に制限を設けようというものである。
【００６０】
以上のように、本実施の形態では、水位決定手段にて決定した水位が内槽の上限に近い水位であった場合においても、さらに高い水位まで給水することがなく溢水を防止できる。
【産業上の利用可能性】
【００６１】
以上のように、本発明にかかる洗濯システムは、使用者が水位補正設定手段により水位補正を設定する場合、水位を高め方向のみ補正可能としたため、布量判定の結果に応じて決定した洗濯水位（あるいは給水量）に対して、更に少ない水量で洗濯するケースがなくなり、つまり、洗濯水中の衣類を十分に循環させることができるので、布傷みを抑えながら洗浄性能を確保することが可能となる。
【図面の簡単な説明】
【００６２】
【図１】本発明の実施の形態１の洗濯乾燥システムのシステムブロック図
【図２】本発明の実施の形態１の情報端末装置３７の内部ブロック図
【図３】本発明の実施の形態１の表示手段２９に表示する水位補正設定画面の一例図
【図４】本発明の実施の形態１の制御手段３８の動作フローチャート
【図５】本発明の実施の形態２の情報端末装置３７の内部ブロック図
【図６】本発明の実施の形態２の表示手段２９に表示する水流設定画面の一例図
【図７】本発明の実施の形態２の制御手段３８の動作フローチャート
【図８】本発明の実施の形態３の情報端末装置３７の内部ブロック図
【図９】本発明の実施の形態３の制御手段３８の動作フローチャート
【図１０】本発明の実施の形態４の制御手段３８の動作フローチャート
【図１１】本発明の実施の形態４の表示手段２９に表示する報知画面の一例図
【図１２】本発明の実施の形態５の制御手段３８の動作フローチャート
【図１３】従来の洗濯乾燥システムのシステムブロック図
【図１４】従来の洗濯乾燥装置１の縦断面図
【図１５】従来の洗濯乾燥装置１の内部ブロック図
【図１６】従来の情報端末装置２の内部ブロック図
【図１７】従来の情報端末装置２の正面図
【図１８】従来の表示手段２９に表示する機器状態表示画面の一例図
【図１９】従来の表示手段２９に表示する運転コース内容の変更画面の一例図
【図２０】従来の表示手段２９に表示する水位補正設定画面の一例図
【図２１】従来の洗濯乾燥システムの制御手段３４の動作フローチャート
【符号の説明】
【００６３】
１  洗濯乾燥装置
２５  洗濯乾燥制御手段
２７ａ  洗濯乾燥装置のデータ通信手段
２７ｂ  情報端末装置のデータ通信手段
２８  水位決定手段
２９  表示手段
３０  入力設定手段
３１  音声出力手段
３２  通信回線接続手段
３３  水位補正設定手段
３７  情報端末装置
３８  制御手段
３９  水流設定手段
４０  補正可否設定手段
【図１】
2005066158.tif 000003
【図２】
2005066158.tif 000004
【図３】
2005066158.tif 000005
【図４】
2005066158.tif 000006
【図５】
2005066158.tif 000007
【図６】
2005066158.tif 000008
【図７】
2005066158.tif 000009
【図８】
2005066158.tif 000010
【図９】
2005066158.tif 000011
【図１０】
2005066158.tif 000012
【図１１】
2005066158.tif 000013
【図１２】
2005066158.tif 000014
【図１３】
2005066158.tif 000015
【図１４】
2005066158.tif 000016
【図１５】
2005066158.tif 000017
【図１６】
2005066158.tif 000018
【図１７】
2005066158.tif 000019
【図１８】
2005066158.tif 000020
【図１９】
2005066158.tif 000021
【図２０】
2005066158.tif 000022
【図２１】
2005066158.tif 000023